(57)【要約】      （修正有）【課題】蓋を開閉する操作ボタンの前方部分が押下された場合でも、フック部品を回動させて、蓋体を開くことができる調理器を提供する。【解決手段】炊飯器は、本体部１０と蓋体２０とを有する。蓋体２０は、ユーザが押下操作するボタン２４と、ボタン２４の下方に位置するフック部品２５とを有する。フック部品２５の回動軸Ａは、ボタン２４よりも下側かつボタン２４の前端部よりも後方に位置する。ボタン２４の前方部分が押下されると、ボタン２４の第１押圧部４１が、フック部品２５の第１被押圧部５１に接触する。第１押圧部４１および第１被押圧部５１の少なくとも一方は、押下操作によるボタン２４の移動方向に対して傾斜している。このため、第１押圧部４１と第１被押圧部との接触により、押圧力の向きが変更され、フック部品２５は、係合姿勢から解除姿勢へ向けて回動する。【選択図】図３
2020018417.tif 000002
【特許請求の範囲】
【請求項１】
食材を内部に収容して加熱する調理器であって、
上部に開口を有する有底筒状の本体部と、
前記本体部の後部に設けられたヒンジにより、前記本体部に対して回動可能に接続された蓋体と、
を備え、
前記蓋体は、
ユーザが押下操作するボタンと、
前記ボタンの下方に位置するフック部品と、
を有し、
前記ボタンは、
その前方部分が押下されたときに前記フック部品へ向けて移動する第１押圧部
を有し、
前記フック部品は、
前記第１押圧部と接触する第１被押圧部と、
前記ボタンよりも下側かつ前記ボタンの前端部よりも後方に位置する回動軸と、
を有し、
前記第１押圧部および前記第１被押圧部の少なくとも一方は、前記押下操作による前記ボタンの移動方向に対して傾斜し、
前記第１押圧部と前記第１被押圧部との接触により、前記フック部品が、
前記本体部に対して係合する係合姿勢から、
前記本体部に対する係合が解除された解除姿勢へ、
前記回動軸を中心として回動する調理器。
【請求項２】
請求項１に記載の調理器であって、
前記第１被押圧部は、前記回動軸の直上位置または前記回動軸の直上位置よりも前方に位置する調理器。
【請求項３】
請求項１または請求項２に記載の調理器であって、
前記第１被押圧部に対する前記第１押圧部の接触により、前記第１被押圧部は、前記回動軸よりも上側において後方へ向かう押圧力を受ける調理器。
【請求項４】
請求項１から請求項３までのいずれか１項に記載の調理器であって、
前記第１被押圧部が、前記ボタンの前記移動方向に対して傾斜する調理器。
【請求項５】
請求項１から請求項４までのいずれか１項に記載の調理器であって、
前記第１押圧部および前記第１被押圧部の双方が、前記ボタンの前記移動方向に対して傾斜し、かつ、互いに平行である調理器。
【請求項６】
請求項１から請求項５までのいずれか１項に記載の調理器であって、
前記第１押圧部および前記第１被押圧部の少なくとも一方は、左右方向に広がる傾斜面である調理器。
【請求項７】
請求項１から請求項６までのいずれか１項に記載の調理器であって、
前記ボタンは、
その後方部分が押下されたときに前記フック部品へ向けて移動する第２押圧部
を有し、
前記フック部品は、
前記第２押圧部と接触する第２被押圧部
を有し、
前記第２押圧部と前記第２被押圧部との接触により、前記フック部品が、前記係合姿勢から前記解除姿勢へ、前記回動軸を中心として回動する調理器。
【発明の詳細な説明】
【技術分野】
【０００１】
本発明は、食材を内部に収容して加熱する調理器に関する。
【背景技術】
【０００２】
従来、食材を内部に収容して加熱調理を行う調理器の例として、炊飯器が知られている。炊飯器は、鍋がセットされる本体部と、本体部の上部を覆う蓋体とを有する。蓋体を開くときには、ユーザが、蓋体に設けられたボタンを押下する。そうすると、蓋体の内部に設けられたフック部品が回動し、それにより、本体部に対するフック部品の係合が外れて、本体部から蓋体が立ち上がる。
【０００３】
この種の蓋体を有する炊飯器については、例えば、特許文献１に記載されている。特許文献１の炊飯器は、蓋体（２１）の最前部に回動自在に支持されたクランプ本体（５１）を有する。蓋体（２１）のクランプボタン（５８）が押下されると、クランプ本体（５１）が回動軸部（５２）を中心として回動することにより、炊飯器本体（１）に対する蓋体（２）の係合が解除される。その結果、蓋体（２１）が開放される（特許文献１の段落００１６〜段落００１９および図４〜図７参照）。
【先行技術文献】
【特許文献】
【０００４】
【特許文献１】特開平９−２２４８２４号公報
【発明の概要】
【発明が解決しようとする課題】
【０００５】
特許文献１に記載の炊飯器の構造では、クランプ本体（５１）の回動軸部（５２）が、クランプボタン（５８）の前端部よりも前方に位置する。このため、クランプボタン（５８）の上面のどの位置を押した場合でも、クランプ本体（５１）を、係合が外れる向きに回動させることができる。
【０００６】
しかしながら、ボタンの大型化、炊飯器の小型化、またはデザイン上の理由により、ボタンの前端部よりも後方、すなわち、ボタンと上下方向に重なる位置に、フック部品（特許文献１におけるクランプ本体）の回動軸を配置したい場合がある。この場合、ボタンの上面のうち、回動軸よりも前方の部分を押下すると、係合が外れる向きとは反対向きにクランプ本体を回転させる力が作用する。そうすると、炊飯器本体に対するクランプ本体の係合が解除されず、蓋体を開放することができない、という問題がある。
【０００７】
本発明は、このような事情に鑑みなされたものであり、フック部品の回動軸を、ボタンの前端部よりも後方に配置し、かつ、ボタンの前方部分が押下された場合でも、フック部品を、係合が外れる向きに回動させることができる調理器を提供することを目的とする。
【課題を解決するための手段】
【０００８】
本発明の調理器は、上部に開口を有する有底筒状の本体部と、前記本体部の後部に設けられたヒンジにより、前記本体部に対して回動可能に接続された蓋体と、を備え、前記蓋体は、ユーザが押下操作するボタンと、前記ボタンの下方に位置するフック部品と、を有し、前記ボタンは、その前方部分が押下されたときに前記フック部品へ向けて移動する第１押圧部を有し、前記フック部品は、前記第１押圧部と接触する第１被押圧部と、前記ボタンよりも下側かつ前記ボタンの前端部よりも後方に位置する回動軸と、を有し、前記第１押圧部および前記第１被押圧部の少なくとも一方は、前記押下操作による前記ボタンの移動方向に対して傾斜し、前記第１押圧部と前記第１被押圧部との接触により、前記フック部品が、前記本体部に対して係合する係合姿勢から、前記本体部に対する係合が解除された解除姿勢へ、前記回動軸を中心として回動する。
【０００９】
この調理器では、上記の通り、ボタンの第１押圧部と、フック部品の第１被押圧部との少なくとも一方が、押下操作によるボタンの移動方向に対して傾斜する。このため、ボタンの前方部分が押下された場合でも、第１押圧部と第１被押圧部との接触により、押圧力の向きが変更され、フック部品を係合姿勢から解除姿勢へ回動させることができる。
【００１０】
特に、前記第１被押圧部は、前記回動軸の直上位置または前記回動軸の直上位置よりも前方に位置することが好ましい。これにより、構造上の制約を受けることなく、ボタンの大型化にも対応させることができる。
【００１１】
また、前記第１被押圧部に対する前記第１押圧部の接触により、前記第１被押圧部は、前記回動軸よりも上側において後方へ向かう押圧力を受けることが好ましい。
【００１２】
また、前記第１押圧部および前記第１被押圧部のうち、少なくとも前記第１被押圧部が、前記ボタンの前記移動方向に対して傾斜することが好ましい。これにより、第１押圧部と第１被押圧部との接触による押圧力の向きを容易に変更することができる。
【００１３】
また、前記第１押圧部および前記第１被押圧部の双方が、前記ボタンの前記移動方向に対して傾斜し、かつ、互いに平行であることが好ましい。これにより、押圧部と被押圧部とを、より安定して接触させることができる。
【００１４】
また、前記押圧部および前記被押圧部の少なくとも一方は、左右方向に広がる傾斜面であることが好ましい。これにより、押圧部と被押圧部とを、より安定して接触させることができる。
【００１５】
また、前記ボタンは、その後方部分が押下されたときに前記フック部品へ向けて移動する第２押圧部を有し、前記フック部品は、前記第２押圧部と接触する第２被押圧部を有し、前記第２押圧部と前記第２被押圧部との接触により、前記フック部品が、前記係合姿勢から前記解除姿勢へ、前記回動軸を中心として回動することが好ましい。これにより、ボタンの前方部分および後方部分のいずれが押下された場合でも、フック部品を係合姿勢から解除姿勢へ回動させることができる。
【発明の効果】
【００１６】
本発明によれば、フック部品の回動軸が、ボタンの前端部よりも後方に配置されており、かつ、ボタンの前方部分が押下された場合に、第１押圧部と第１被押圧部との接触により、フック部品を係合姿勢から解除姿勢へ回動させることができる。
【図面の簡単な説明】
【００１７】
【図１】炊飯器の斜視図である。
【図２】炊飯器の側面図である。
【図３】蓋体の前端部付近の縦断面図である。
【図４】下蓋部材、プッシュボタン、およびフック部品の破断斜視図である。
【図５】第１押圧部および第１被押圧部付近の縦断面図である。
【図６】変形例に係る第１押圧部および第１被押圧部付近の縦断面図である。
【発明を実施するための形態】
【００１８】
以下、本発明の実施形態について、図面を参照しつつ説明する。
【００１９】
＜１．調理器の構成＞
図１は、本発明に係る調理器の一実施形態となる炊飯器１の斜視図である。図２は、炊飯器１の側面図である。この炊飯器１は、内部に白米等の食材を適量の水とともに収容して加熱調理を行う装置である。図１および図２に示すように、本実施形態の炊飯器１は、全体としてキューブ状の外形を有する。ただし、炊飯器１の外形は、他の形状であってもよい。炊飯器１は、主として、本体部１０と蓋体２０とを有する。
【００２０】
本体部１０は、有底筒状の筐体である。本体部１０は、その上面から下方へ向けて凹む鍋収容部１１を有する。鍋収容部１１には、別体の金属製の鍋１２がセットされる。食材および水は、当該鍋１２の内部に収容される。また、本体部１０は、鍋収容部１１の下方または周囲に、誘導加熱コイル１３を有する。炊飯器１の使用時には、誘導加熱コイル１３への通電により誘導加熱コイル１３から磁力線が発生する。そうすると、電磁誘導により鍋１２が発熱し、鍋１２の内部に収容された食材が加熱される。
【００２１】
蓋体２０は、本体部１０の後部に設けられたヒンジ１４により、本体部１０に対して回動可能に接続されている。蓋体２０は、本体部１０の上部を覆う水平姿勢（図２中の実線の姿勢）と、本体部１０に対して略垂直に起立する起立姿勢（図２中の二点鎖線の姿勢）との間で、ヒンジ１４を中心として回動する。蓋体２０が水平姿勢のときには、上述した鍋収容部１１にセットされた鍋１２の上部が、蓋体２０によって閉鎖される。これにより、鍋１２の内部が密閉空間とされる。蓋体２０が起立姿勢のときには、鍋１２の上部が開放されるとともに、鍋収容部１１に対する鍋１２の着脱が可能となる。なお、蓋体２０は、ヒンジ１４に設けられたばね等の弾性部材によって、常に起立姿勢側へ付勢されている。
【００２２】
図３は、蓋体２０の前端部付近の縦断面図（左右方向に対して垂直な断面を示した図）である。図３に示すように、蓋体２０は、蓋パネル２１、上蓋部材２２、下蓋部材２３、プッシュボタン２４、およびフック部品２５を有する。
【００２３】
蓋パネル２１は、蓋体２０の上面（外表面）を構成する板状の部材である。上蓋部材２２は、蓋体２０が水平姿勢のときに、蓋パネル２１の下側に位置する板状の部材である。下蓋部材２３は、蓋体２０が水平姿勢のときに、上蓋部材２２のさらに下側に位置する板状の部材である。蓋パネル２１、上蓋部材２２、および下蓋部材２３は、嵌め込みまたはボルト等の締結部材によって、互いに固定されている。
【００２４】
プッシュボタン２４は、蓋体２０を水平姿勢から起立姿勢に回動させたいときに、ユーザが操作するボタンである。蓋パネル２１の前端部付近には、円形の開口部２１１が設けられている。プッシュボタン２４は、当該開口部２１１内に配置される。プッシュボタン２４の上面は、蓋体２０の上部空間に露出する。したがって、ユーザは、プッシュボタン２４の上面を押下することができる。本実施形態では、プッシュボタン２４の上面の形状は、円形である。ただし、プッシュボタン２４の上面の形状は、楕円形や矩形等の他の形状であってもよい。
【００２５】
フック部品２５は、プッシュボタン２４の下方に位置する。フック部品２５は、図３中に実線で示した係合姿勢と、図３中に二点鎖線で示した解除姿勢との間で、左右方向に延びる回動軸Ａを中心として、回動可能に支持されている。係合姿勢においては、フック部品２５の爪部２５３が、本体部１０に設けられた被係合部１５の下面に対して係合する。解除姿勢においては、フック部品２５の爪部２５３が、本体部１０の被係合部１５から外れる。ユーザがプッシュボタン２４を押下すると、フック部品２５は、係合姿勢から解除姿勢へ回動する。これにより、本体部１０に対するフック部品２５の係合が外れ、上述したヒンジ１４に設けられた弾性部材の付勢力によって、蓋体２０が水平姿勢から起立姿勢へ回動する。
【００２６】
＜２．プッシュボタンおよびフック部品の詳細について＞
図４は、下蓋部材２３、プッシュボタン２４、およびフック部品２５の破断斜視図である。以下では、図３および図４を参照しつつ、プッシュボタン２４およびフック部品２５の詳細について説明する。なお、以下の説明に登場する「上」「下」「前」「後」は、いずれも、蓋体２０が水平姿勢の状態における方向を指すものとする。
【００２７】
図３に示すように、プッシュボタン２４の下面には、下方へ向けて突出する複数の支持ピン２４１が設けられている。一方、上蓋部材２２の上面には、上方へ向けて突出する複数の円筒状のピンホルダ部２２１が設けられている。複数の支持ピン２４１は、それぞれ、ピンホルダ部２２１内に挿入されている。したがって、各支持ピン２４１は、ピンホルダ部２２１に沿って、上下方向に移動することが可能である。これにより、蓋パネル２１、上蓋部材２２、および下蓋部材２３に対するプッシュボタン２４の上下方向の移動が許容される。また、プッシュボタン２４の鉛直軸周りの回転が規制される。
【００２８】
上蓋部材２２とプッシュボタン２４との間には、弾性部材である複数のコイルばね（図示省略）が介挿されている。各コイルばねは、自然長よりも上下方向に圧縮された状態で、ピンホルダ部２２１の周囲に設けられている。したがって、プッシュボタン２４は、コイルばねから受ける弾性力によって、常に上方へ向けて付勢されている。ただし、プッシュボタン２４の縁部の上面が蓋パネル２１の下面に接触することによって、プッシュボタン２４が蓋パネル２１の上面から大きく突出しないようになっている。ユーザがプッシュボタン２４を押下すると、その力に応じてコイルばねが収縮し、プッシュボタン２４は下方へ移動する。
【００２９】
フック部品２５は、プッシュボタン２４の下方に位置する。図３および図４に示すように、フック部品２５は、一対の回動ピン２５０、第１アーム２５１、第２アーム２５２、および爪部２５３を有する。
【００３０】
一対の回動ピン２５０は、左右方向に延びる共通の回動軸Ａに沿って、フック部品２５の左右の側面から、円柱状に突出する。一方、下蓋部材２３の上面には、Ｕ字状の凹部である軸受部２３１が設けられている。一対の回動ピン２５０は、それぞれ、軸受部２３１に嵌まる。これにより、下蓋部材２３に対してフック部品２５が、回動軸Ａを中心として回動可能に支持される。具体的には、フック部品２５は、上述した係合姿勢と解除姿勢との間で、回動軸Ａを中心として回動する。
【００３１】
この炊飯器１では、回動軸Ａが、プッシュボタン２４よりも下側かつプッシュボタン２４の前端部よりも後方に位置する。すなわち、回動軸Ａが、プッシュボタン２４と上下方向に重なる位置に配置されている。このような位置に回動軸Ａを配置すれば、プッシュボタン２４および回動軸Ａの全体としての前後方向の寸法を、小さくすることができる。したがって、炊飯器１の外形寸法を、前後方向に小さくすることができる。あるいは、プッシュボタン２４の前後方向の寸法を大きくすることができる。また、寸法上の制約が緩和されるため、炊飯器１のデザインの幅が広がる。
【００３２】
第１アーム２５１は、回動軸Ａの付近から、後方へ向けて延びる。第１アーム２５１の後端部は、プッシュボタン２４の後方部分の下方に位置する。第２アーム２５２は、回動軸Ａの付近から、下方へ向けて延びる。爪部２５３は、第２アーム２５２の下端部から、後方へ向けて突出する。
【００３３】
第１アーム２５１と下蓋部材２３との間には、弾性部材であるばね（図示省略）が介挿されている。このため、第１アーム２５１は、当該ばねから受ける弾性力によって、常に上方へ向けて付勢されている。これにより、フック部品２５は、常に係合姿勢側へ付勢されている。そして、ユーザがプッシュボタン２４を押下したときにのみ、プッシュボタン２４から受ける押圧力によって、フック部品２５は、解除姿勢側へ回動する。
【００３４】
図３に示すように、プッシュボタン２４は、第１押圧部４１と第２押圧部４２とを有する。第１押圧部４１は、プッシュボタン２４の前方部分（プッシュボタン２４の中央よりもヒンジ１４から遠い部分）が押下されたときに、フック部品２５へ向けて移動する部分である。第２押圧部４２は、プッシュボタン２４の後方部分（プッシュボタン２４の中央よりもヒンジ１４に近い部分）が押下されたときに、フック部品２５へ向けて移動する部分である。プッシュボタン２４は、蓋パネル２１、上蓋部材２２、および下蓋部材２３に対して、僅かに傾斜可能である。このため、プッシュボタン２４の前方部分が押下されたときには、第２押圧部４２よりも先に、第１押圧部４１がフック部品２５に接触する。プッシュボタン２４の後方部分が押下されたときには、第１押圧部４１よりも先に、第２押圧部４２がフック部品２５に接触する。
【００３５】
フック部品２５は、第１被押圧部５１と第２被押圧部５２とを有する。第１被押圧部５１は、回動軸Ａの直上位置または回動軸Ａの直上位置よりも前方に位置する。第２被押圧部５２は、回動軸Ａの直上位置よりも後方に位置する。ユーザが、プッシュボタン２４の前方部分を押下したときには、プッシュボタン２４の第１押圧部４１が、フック部品２５の第１被押圧部５１に接触する。これにより、フック部品２５が、回動軸Ａを中心として、係合姿勢から解除姿勢へ回動する。また、ユーザが、プッシュボタン２４の後方部分を押下したときには、プッシュボタン２４の第２押圧部４２が、フック部品２５の第２被押圧部５２に接触する。これにより、フック部品２５が、回動軸Ａを中心として、係合姿勢から解除姿勢へ回動する。
【００３６】
上述の通り、第２押圧部４２および第２被押圧部５２は、回動軸Ａの直上位置よりも後方に位置する。したがって、第２押圧部４２と第２被押圧部５２との接触位置では、第２押圧部４２の押圧方向と、フック部品２５の係合姿勢から解除姿勢へ向かう回動方向とが、一致する。このため、第２押圧部４２と第２被押圧部５２との接触箇所においては、特殊な形状を設けなくても、第２押圧部４２から第２被押圧部５２へ作用する押圧力によって、フック部品２５を、係合姿勢から解除姿勢へ向けて回動させることができる。
【００３７】
これに対し、第１押圧部４１および第１被押圧部５１は、回動軸Ａの直上位置または直上位置よりも前方に位置する。したがって、第１押圧部４１と第１被押圧部５１との接触位置では、第１押圧部４１の押圧方向と、フック部品２５の係合姿勢から解除姿勢へ向かう回動方向とが、一致しない。このため、本実施形態の炊飯器１では、第１押圧部４１と第１被押圧部５１との間に、押圧力の向きを変更するための形状が設けられている。以下では、当該形状について説明する。
【００３８】
図５は、第１押圧部４１および第１被押圧部５１付近の縦断面図である。図５に示すように、第１押圧部４１および第１被押圧部５１は、押下操作によるプッシュボタン２４の移動方向に対して傾斜する傾斜面となっている。具体的には、第１押圧部４１および第１被押圧部５１は、それぞれ、前方へ向かうにつれてその高さが徐々に低下する傾斜面となっている。このため、第１押圧部４１が第１被押圧部５１に接触すると、第１被押圧部５１には、第１押圧部４１の移動方向とは異なる向きの押圧力Ｆが作用する。この押圧力Ｆは、図５中に矢印で示したように、回動軸Ａよりも上側において後方へ向かう力となる。したがって、この押圧力Ｆによって、第１被押圧部５１は、後方へ移動する。その結果、フック部品２５を、係合姿勢から解除姿勢へ向けて回動させることができる。
【００３９】
特に、本実施形態では、フック部品２５の第１被押圧部５１が、プッシュボタン２４の移動方向に対して傾斜し、かつ、左右方向にも広がる傾斜面となっている。このように、第１押圧部４１および第１被押圧部５１の少なくとも一方を、左右方向に広がる傾斜面とすれば、第１押圧部４１と第１被押圧部５１とを、より安定して接触させることができる。
【００４０】
第１押圧部４１および第１被押圧部５１の傾斜角度は、上述した押圧力Ｆが、回動軸Ａよりも上側において後方へ向かう力となる角度であればよい。例えば、水平面に対する第１押圧部４１および第１被押圧部５１の傾斜角度θ１を、５０°〜８０°、好ましくは６０°〜７０°とすればよい。換言すれば、第１押圧部４１の移動方向に対する第１押圧部４１および第１被押圧部５１の傾斜角度θ２を、１０°〜４０°、好ましく２０°〜３０°とすればよい。本実施形態のように、第１押圧部４１と第１被押圧部５１とを、互いに平行に傾斜させることで、第１押圧部４１と第１被押圧部５１とを、より安定して接触させることができる。
【００４１】
このように、本実施形態の炊飯器１では、回動軸Ａがプッシュボタン２４の前端部よりも後方に配置されているにもかかわらず、プッシュボタン２４の前方部分が押下された場合でも、第１押圧部４１と第１被押圧部５１との接触によって、フック部品２５が、係合姿勢から解除姿勢へ回動する。すなわち、ユーザが、プッシュボタン２４の前方部分および後方部分のいずれを押下した場合でも、本体部１０に対するフック部品２５の係合を解除することができる。したがって、ユーザは、プッシュボタン２４の押す位置を特に意識することなくプッシュボタン２４を押下操作して、蓋体２０を水平姿勢から起立姿勢へ回動させることができる。
【００４２】
＜３．変形例＞
以上、本発明の一実施形態について説明したが、本発明は、上記の実施形態に限定されるものではない。
【００４３】
上記の実施形態では、第１押圧部４１と第１被押圧部５１とが、同じ角度で傾斜していた。しかしながら、第１押圧部４１の傾斜角度と、第１被押圧部５１の傾斜角度とは、相違していてもよい。
【００４４】
また、上記の実施形態では、第１押圧部４１と第１被押圧部５１との双方が、プッシュボタン２４の移動方向に対して傾斜する傾斜面となっていた。しかしながら、第１押圧部４１および第１被押圧部５１のいずれか一方は、傾斜面でなくてもよい。例えば、図６のように、第１押圧部４１を、半球状の突起としてもよい。このような場合でも、第１押圧部４１が、傾斜面である第１被押圧部５１に接触することで、第１被押圧部５１に後方へ向かう押圧力Ｆを作用させることができる。したがって、フック部品２５を、係合姿勢から解除姿勢へ向けて回動させることができる。また、逆に、第１押圧部４１を傾斜面とし、第１被押圧部５１を突起形状としてもよい。すなわち、第１押圧部４１および第１被押圧部５１の少なくとも一方が、プッシュボタン２４の移動方向に対して傾斜する傾斜面となっていればよい。
【００４５】
また、上記の実施形態では、プッシュボタン２４の上面が水平に配置されていた。したがって、押下操作によるプッシュボタン２４の移動方向は、鉛直下向きであった。しかしながら、プッシュボタン２４の上面は、水平面に対して傾斜していてもよい。そして、押下操作によるプッシュボタン２４の移動方向が、斜め下向きとなっていてもよい。その場合においても、第１押圧部４１および第１被押圧部５１の少なくとも一方を、プッシュボタン２４の当該移動方向に対して傾斜させればよい。
【００４６】
また、上記の実施形態では、フック部品２５が、第２アーム２５２から後方へ向けて突出する爪部２５３を有していた。そして、当該爪部２５３が、本体部１０側の被係合部１５と係合していた。しかしながら、フック部品２５は、第２アーム２５２の後面に凹部を有していてもよい。そして、当該凹部が、本体部１０側の被係合部１５と係合する構造であってもよい。
【００４７】
また、上記の実施形態では、調理器の一例である炊飯器１について説明した。しかしながら、本発明の調理器は、炊飯以外の調理を目的とする調理器であってもよい。
【００４８】
また、調理器の細部の構成については、本願の各図と相違していてもよい。また、上記の実施形態や変形例に登場した各要素を、矛盾が生じない範囲で、適宜に組み合わせてもよい。
【符号の説明】
【００４９】
１  炊飯器（調理器）
１０  本体部
１１  鍋収容部
１２  鍋
１３  ヒータ
１４  ヒンジ
１５  被係合部
２０  蓋体
２１  蓋パネル
２２  上蓋部材
２３  下蓋部材
２４  プッシュボタン
２５  フック部品
４１  第１押圧部
４２  第２押圧部
５１  第１被押圧部
５２  第２被押圧部
２１１  開口部
２２１  ピンホルダ部
２３１  軸受部
２４１  支持ピン
２５０  回動ピン
２５１  第１アーム
２５２  第２アーム
２５３  爪部
Ａ  回動軸
Ｆ  押圧力
θ１  傾斜角度
θ２  傾斜角度
【図１】
2020018417.tif 000003
【図２】
2020018417.tif 000004
【図３】
2020018417.tif 000005
【図４】
2020018417.tif 000006
【図５】
2020018417.tif 000007
【図６】
2020018417.tif 000008